(57)【要約】【課題】オフロード対象のユーザ端末を適切に選定可能とする。【解決手段】ＵＥ１００は、ＷＬＡＮシステムと連携可能なセルラ通信システムにおいて、ｅＮＢ２００とトラフィックを送受信する。ＵＥ１００は、トラフィックをＷＬＡＮシステムに移行するオフロードの対象としてＵＥ１００が選定された場合において、ＵＥ１００の状況に関する判断パラメータに基づいて、オフロードを行うべきか否かを判断する。ＵＥ１００は、オフロードを行うべきではないと判断した場合に、オフロードの拒否に関する拒否通知をｅＮＢ２００に送信する。【選択図】図８
2018007267.tif 000002
【特許請求の範囲】
【請求項１】
制御部を備えるユーザ端末であって、
前記制御部は、
オフロードを指示するオフロード指示をセルラ基地局から受信し、前記オフロードは、前記ユーザ端末が前記セルラ基地局との接続を維持しつつ、前記セルラ基地局からＷＬＡＮアクセスポイントにトラフィックを移す動作であり、
前記オフロード指示の受信に応じて、前記ＷＬＡＮアクセスポイントとの接続が可能であるか否かを、ＷＬＡＮ信号の状況に加えて、前記ユーザ端末内の状況に基づいて判断し、
前記ＷＬＡＮアクセスポイントとの接続が不可であると判断したことに応じて、前記ＷＬＡＮアクセスポイントとの接続が不可である理由として、前記ＷＬＡＮ信号の状況に関する理由及び前記ユーザ端末内の状況に関する理由のうち何れかを前記セルラ基地局に通知する、
ユーザ端末。
【請求項２】
前記オフロード指示の受信前に、前記制御部は、ＷＬＡＮ識別子とＷＬＡＮ信号の受信電力測定結果とを含む測定報告を前記セルラ基地局に送信する処理を行う、
請求項１に記載のユーザ端末。
【請求項３】
ユーザ端末で実行するための方法であって、
オフロードを指示するオフロード指示をセルラ基地局から受信し、前記オフロードは、前記ユーザ端末が前記セルラ基地局との接続を維持しつつ、前記セルラ基地局からＷＬＡＮアクセスポイントにトラフィックを移す動作であり、
前記オフロード指示の受信に応じて、前記ＷＬＡＮアクセスポイントとの接続が可能であるか否かを、ＷＬＡＮ信号の状況に加えて、前記ユーザ端末内の状況に基づいて判断し、
前記ＷＬＡＮアクセスポイントとの接続が不可であると判断したことに応じて、前記ＷＬＡＮアクセスポイントとの接続が不可である理由として、前記ＷＬＡＮ信号の状況に関する理由及び前記ユーザ端末内の状況に関する理由のうち何れかを前記セルラ基地局に通知する、
方法。
【請求項４】
前記オフロード指示の受信前に、ＷＬＡＮ識別子とＷＬＡＮ信号の受信電力測定結果とを含む測定報告を前記セルラ基地局に送信する、
請求項３に記載の方法。
【請求項５】
ユーザ端末を制御するプロセッサであって、
オフロードを指示するオフロード指示をセルラ基地局から受信し、前記オフロードは、前記ユーザ端末が前記セルラ基地局との接続を維持しつつ、前記セルラ基地局からＷＬＡＮアクセスポイントにトラフィックを移す動作であり、
前記オフロード指示の受信に応じて、前記ＷＬＡＮアクセスポイントとの接続が可能であるか否かを、ＷＬＡＮ信号の状況に加えて、前記ユーザ端末内の状況に基づいて判断し、
前記ＷＬＡＮアクセスポイントとの接続が不可であると判断したことに応じて、前記ＷＬＡＮアクセスポイントとの接続が不可である理由として、前記ＷＬＡＮ信号の状況に関する理由及び前記ユーザ端末内の状況に関する理由のうち何れかを前記セルラ基地局に通知する、
プロセッサ。
【請求項６】
前記オフロード指示の受信前に、ＷＬＡＮ識別子とＷＬＡＮ信号の受信電力測定結果とを含む測定報告を前記セルラ基地局に送信する処理を行う、
請求項５に記載のプロセッサ。
【発明の詳細な説明】
【技術分野】
【０００１】
本発明は、無線ＬＡＮシステムと連携可能なセルラ通信システムにおいて用いられるユーザ端末、セルラ基地局、及びプロセッサに関する。
【背景技術】
【０００２】
近年、セルラ通信部及び無線ＬＡＮ通信部を有するユーザ端末（いわゆる、デュアル端末）の普及が進んでいる。また、セルラ通信システムのオペレータにより管理される無線ＬＡＮアクセスポイントが増加している。
【０００３】
そこで、セルラ通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、セルラ通信システムと無線ＬＡＮシステムとの連携を強化できる技術が検討されている。
【０００４】
例えば、ユーザ端末とセルラ基地局との間で送受信されるトラフィックを無線ＬＡＮシステムに移行させることにより、セルラ基地局のトラフィック負荷を削減することができる（オフロード）。
【０００５】
そのようなオフロードを行うための方法として、セルラ基地局がオフロード対象のユーザ端末に対してＷＬＡＮ測定を設定し、ユーザ端末がＷＬＡＮ測定結果をセルラ基地局に報告し、セルラ基地局が当該報告に基づいてオフロード指示をユーザ端末に送信する方法が提案されている（非特許文献１参照）。
【先行技術文献】
【非特許文献】
【０００６】
【非特許文献１】３ＧＰＰ技術報告書  「ＴＲ  ３７．８３４  Ｖ０．３．０」  ２    ０１３年５月
【発明の概要】
【発明が解決しようとする課題】
【０００７】
オフロード対象のユーザ端末を選定する方法としては、セルラ基地局の観点からは、使用する無線リソース量が多いユーザ端末を選定する方法が考えられる。
【０００８】
しかしながら、そのような選定基準でのみオフロード対象のユーザ端末を選定する場合、ユーザ端末の観点からは、好ましくない選定が行われる虞がある。例えば、周辺に無線ＬＡＮアクセスポイントが存在しないユーザ端末、移動中のユーザ端末、又はバッテリ残量の少ないユーザ端末などについては、オフロードを行うべきではない。
【０００９】
そこで、本発明は、オフロード対象のユーザ端末を適切に選定可能とするユーザ端末、セルラ基地局、及びプロセッサを提供することを目的とする。
【課題を解決するための手段】
【００１０】
第１の特徴に係るユーザ端末は、無線ＬＡＮシステムと連携可能なセルラ通信システムにおいて、セルラ基地局とトラフィックを送受信する。前記ユーザ端末は、前記トラフィックを前記無線ＬＡＮシステムに移行するオフロードの対象として前記ユーザ端末が選定された場合において、前記ユーザ端末の状況に関する判断パラメータに基づいて、前記オフロードを行うべきか否かを判断する制御部を備える。前記制御部は、前記オフロードを行うべきではないと判断した場合に、前記オフロードの拒否に関する拒否通知を前記セルラ基地局に送信する。
【００１１】
第２の特徴に係るセルラ基地局は、無線ＬＡＮシステムと連携可能なセルラ通信システムにおいて、ユーザ端末とトラフィックを送受信する。前記セルラ基地局は、前記トラフィックを前記無線ＬＡＮシステムに移行するオフロードの対象として前記ユーザ端末を選定した場合で、かつ、前記オフロードの拒否に関する拒否通知を前記ユーザ端末から受信した場合に、前記ユーザ端末を前記オフロードの対象から除外する制御部を備える。
【００１２】
第３の特徴に係るプロセッサは、無線ＬＡＮシステムと連携可能なセルラ通信システムにおいて、セルラ基地局とトラフィックを送受信するユーザ端末に備えられる。前記プロセッサは、前記トラフィックを前記無線ＬＡＮシステムに移行するオフロードの対象として前記ユーザ端末が選定された場合において、前記ユーザ端末の状況に関する判断パラメータに基づいて、前記オフロードを行うべきか否かを判断する処理と、前記オフロードを行うべきではないと判断した場合に、前記オフロードの拒否に関する拒否通知を前記セルラ基地局に送信する処理と、を実行する。
【発明の効果】
【００１３】
本発明によれば、オフロード対象のユーザ端末を適切に選定可能とするユーザ端末、セルラ基地局、及びプロセッサを提供できる。
【図面の簡単な説明】
【００１４】
【図１】第１実施形態及び第２実施形態に係るシステム構成図である。
【図２】第１実施形態及び第２実施形態に係るＵＥ（ユーザ端末）のブロック図である。
【図３】第１実施形態及び第２実施形態に係るｅＮＢ（セルラ基地局）のブロック図である。
【図４】第１実施形態及び第２実施形態に係るＡＰ（無線ＬＡＮアクセスポイント）    のブロック図である。
【図５】ＬＴＥシステムにおける無線インターフェイスのプロトコルスタック図である。
【図６】ＬＴＥシステムで使用される無線フレームの構成図である。
【図７】第１実施形態に係る基本動作を示すシーケンス図である。
【図８】第１実施形態に係る動作パターン１のシーケンス図である。
【図９】第１実施形態に係る動作パターン２のシーケンス図である。
【図１０】第１実施形態に係る動作パターン３のシーケンス図である。
【図１１】第２実施形態に係るシーケンス図である。
【発明を実施するための形態】
【００１５】
［実施形態の概要］
第１実施形態及び第２実施形態に係るユーザ端末は、無線ＬＡＮシステムと連携可能なセルラ通信システムにおいて、セルラ基地局とトラフィックを送受信する。前記ユーザ端末は、前記トラフィックを前記無線ＬＡＮシステムに移行するオフロードの対象として前記ユーザ端末が選定された場合において、前記ユーザ端末の状況に関する判断パラメータに基づいて、前記オフロードを行うべきか否かを判断する制御部を備える。前記制御部は、前記オフロードを行うべきではないと判断した場合に、前記オフロードの拒否に関する拒否通知を前記セルラ基地局に送信する。
【００１６】
第１実施形態では、前記判断パラメータは、前記ユーザ端末の周辺に無線ＬＡＮアクセスポイントが存在するか否かを示す情報である。前記制御部は、前記ユーザ端末の周辺に無線ＬＡＮアクセスポイントが存在しない場合に、前記オフロードを行うべきではないと判断する。
【００１７】
第１実施形態では、前記判断パラメータは、前記ユーザ端末が移動中であるか否かを示す情報である。前記制御部は、前記ユーザ端末が移動中である場合に、前記オフロードを行うべきではないと判断する。
【００１８】
第１実施形態では、前記判断パラメータは、前記ユーザ端末のバッテリ残量を示す情報である。前記制御部は、前記バッテリ残量が閾値を下回る場合に、前記オフロードを行うべきではないと判断する。
【００１９】
第１実施形態では、前記判断パラメータは、前記ユーザ端末の消費電力レベルを示す情報である。前記制御部は、前記消費電力レベルが閾値を上回る場合に、前記オフロードを行うべきではないと判断する。
【００２０】
第１実施形態に係る動作パターン１では、前記ユーザ端末は、前記オフロードの対象として前記ユーザ端末が選定されたことを示す無線ＬＡＮ測定指示を前記セルラ基地局から受信する受信部をさらに備える。前記制御部は、前記オフロードを行うべきではないと判断した場合に、前記無線ＬＡＮ測定指示に対する応答として、前記拒否通知を前記セルラ基地局に送信する。
【００２１】
第１実施形態に係る動作パターン２では、前記ユーザ端末は、前記オフロードの対象として前記ユーザ端末が選定されたことを示す無線ＬＡＮ測定指示を前記セルラ基地局から受信する受信部をさらに備える。前記制御部は、前記オフロードを行うべきではないと判断した場合に、前記無線ＬＡＮ測定の結果を報告するための無線ＬＡＮ測定報告と共に、前記拒否通知を前記セルラ基地局に送信する。
【００２２】
第１実施形態に係る動作パターン３では、前記ユーザ端末は、前記オフロードの実行を指示するオフロード指示を前記セルラ基地局から受信する受信部をさらに備える。前記制御部は、前記オフロードを行うべきではないと判断した場合に、前記オフロード指示に対する応答として、前記拒否通知を前記セルラ基地局に送信する。
【００２３】
第１実施形態では、前記制御部は、前記拒否通知を前記セルラ基地局に送信する場合に、拒否の理由を示す拒否理由情報を前記拒否通知に含める。
【００２４】
第２実施形態では、前記ユーザ端末は、前記オフロードの対象として前記ユーザ端末が選定されるよりも前において、前記判断パラメータを含んだ端末情報通知を前記セルラ基地局に送信する送信部をさらに備える。
【００２５】
第１実施形態及び第２実施形態に係るセルラ基地局は、無線ＬＡＮシステムと連携可能なセルラ通信システムにおいて、ユーザ端末とトラフィックを送受信する。前記セルラ基地局は、前記トラフィックを前記無線ＬＡＮシステムに移行するオフロードの対象として前記ユーザ端末を選定した場合で、かつ、前記オフロードの拒否に関する拒否通知を前記ユーザ端末から受信した場合に、前記ユーザ端末を前記オフロードの対象から除外する制御部を備える。
【００２６】
第２実施形態では、前記セルラ基地局は、前記オフロードの対象として前記ユーザ端末を選定するよりも前において、前記ユーザ端末の状況に関する判断パラメータを含んだ端末情報通知を前記ユーザ端末から受信する受信部をさらに備える。前記制御部は、前記判断パラメータに基づいて、前記オフロードの対象とするユーザ端末を選定する。
【００２７】
第２実施形態では、前記判断パラメータは、前記ユーザ端末の周辺に無線ＬＡＮアクセスポイントが存在するか否かを示す情報である。前記制御部は、周辺に無線ＬＡＮアクセスポイントが存在しないユーザ端末を、前記オフロードの対象から除外する。
【００２８】
第２実施形態では、前記判断パラメータは、前記ユーザ端末が移動中であるか否かを示す情報である。前記制御部は、移動中であるユーザ端末を、前記オフロードの対象から除外する。
【００２９】
第２実施形態では、前記判断パラメータは、前記ユーザ端末のバッテリ残量を示す情報である。前記制御部は、前記バッテリ残量が閾値を下回るユーザ端末を、前記オフロードの対象から除外する。
【００３０】
第２実施形態では、前記判断パラメータは、前記ユーザ端末の消費電力レベルを示す情報である。前記制御部は、消費電力レベルが閾値を上回るユーザ端末を、前記オフロードの対象から除外する。
【００３１】
第１実施形態及び第２実施形態に係るプロセッサは、無線ＬＡＮシステムと連携可能なセルラ通信システムにおいて、セルラ基地局とトラフィックを送受信するユーザ端末に備えられる。前記プロセッサは、前記トラフィックを前記無線ＬＡＮシステムに移行するオフロードの対象として前記ユーザ端末が選定された場合において、前記ユーザ端末の状況に関する判断パラメータに基づいて、前記オフロードを行うべきか否かを判断する処理と、前記オフロードを行うべきではないと判断した場合に、前記オフロードの拒否に関する拒否通知を前記セルラ基地局に送信する処理と、を実行する。
【００３２】
［第１実施形態］
以下、図面を参照して、３ＧＰＰ規格に準拠して構成されるセルラ通信システム（ＬＴＥシステム）を無線ＬＡＮ（ＷＬＡＮ）システムと連携させる場合の実施形態を説明する。
【００３３】
（システム構成）
図１は、第１実施形態に係るシステム構成図である。図１に示すように、セルラ通信システムは、複数のＵＥ（Ｕｓｅｒ  Ｅｑｕｉｐｍｅｎｔ）１００と、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０は、無線アクセスネットワーク（ＲＡＮ）に相当する。ＥＰＣ２０は、コアネットワークに相当する。
【００３４】
ＵＥ１００は、移動型の無線通信装置であり、接続を確立したセルとの無線通信を行う。ＵＥ１００はユーザ端末に相当する。ＵＥ１００は、セルラ通信及びＷＬＡＮ通信の両通信方式をサポートする端末（デュアル端末）である。
【００３５】
Ｅ−ＵＴＲＡＮ１０は、複数のｅＮＢ２００（ｅｖｏｌｖｅｄ  Ｎｏｄｅ−Ｂ）を含む。ｅＮＢ２００はセルラ基地局に相当する。ｅＮＢ２００は、１又は複数のセルを管理しており、自セルとの接続を確立したＵＥ１００との無線通信を行う。なお、「セル」は、無線通信エリアの最小単位を示す用語として使用される他に、ＵＥ１００との無線通信を行う機能を示す用語としても使用される。また、ｅＮＢ２００は、例えば、無線リソース管理（ＲＲＭ）機能と、ユーザデータのルーティング機能と、モビリティ制御及びスケジューリングのための測定制御機能と、を有する。
【００３６】
ｅＮＢ２００は、Ｘ２インターフェイスを介して相互に接続される。また、ｅＮＢ２００は、Ｓ１インターフェイスを介して、ＥＰＣ２０に含まれるＭＭＥ／Ｓ−ＧＷ５００と接続される。
【００３７】
ＥＰＣ２０は、複数のＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）５００を含む。ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３８】
ＷＬＡＮシステムは、ＷＬＡＮアクセスポイント（ＷＬＡＮ  ＡＰ）３００を含む。ＷＬＡＮシステムは、例えばＩＥＥＥ  ８０２．１１諸規格に準拠して構成される。ＷＬＡＮ  ＡＰ３００は、セルラ周波数帯とは異なる周波数帯（ＷＬＡＮ周波数帯）でＵＥ１００との通信を行う。ＷＬＡＮ  ＡＰ３００は、ルータなどを介してＥＰＣ２０に接続される。
【００３９】
また、ｅＮＢ２００及びＷＬＡＮ  ＡＰ３００が個別に配置される場合に限らず、ｅＮＢ２００及びＷＬＡＮ  ＡＰ３００が同じ場所に配置（Ｃｏｌｌｏｃａｔｅｄ）されていてもよい。Ｃｏｌｌｏｃａｔｅｄの一形態として、ｅＮＢ２００及びＷＬＡＮ  ＡＰ３００がオペレータの任意のインターフェイスで直接的に接続されていてもよい。
【００４０】
次に、ＵＥ１００、ｅＮＢ２００、及びＷＬＡＮ  ＡＰ３００の構成を説明する。
【００４１】
図２は、ＵＥ１００のブロック図である。図２に示すように、ＵＥ１００は、アンテナ１０１及び１０２と、セルラ通信部１１１と、ＷＬＡＮ通信部１１２と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００４２】
アンテナ１０１及びセルラ通信部１１１は、セルラ無線信号の送受信に用いられる。セルラ通信部１１１は、プロセッサ１６０が出力するベースバンド信号をセルラ無線信号に変換してアンテナ１０１から送信する。また、セルラ通信部１１１は、アンテナ１０１が受信するセルラ無線信号をベースバンド信号に変換してプロセッサ１６０に出力する。
【００４３】
アンテナ１０２及びＷＬＡＮ通信部１１２は、ＷＬＡＮ無線信号の送受信に用いられる。ＷＬＡＮ通信部１１２は、プロセッサ１６０が出力するベースバンド信号をＷＬＡＮ無線信号に変換してアンテナ１０２から送信する。また、ＷＬＡＮ通信部１１２は、アンテナ１０２が受信するＷＬＡＮ無線信号をベースバンド信号に変換してプロセッサ１６０に出力する。
【００４４】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの入力を受け付けて、該入力の内容を示す信号をプロセッサ１６０に出力する。ＧＮＳＳ受信機１３０は、ＵＥ１００の地理的位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００４５】
メモリ１５０は、プロセッサ１６０によって実行されるプログラムと、プロセッサ１６０による処理に使用される情報と、を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵと、を含む。プロセッサ１６０は、さらに、音声・映像信号の符号化・復号を行うコーデックを含んでもよい。プロセッサ１６０は、後述する各種の処理及び各種の通信プロトコルを実行する。
【００４６】
図３は、ｅＮＢ２００のブロック図である。図３に示すように、ｅＮＢ２００は、アンテナ２０１と、セルラ通信部２１０と、ネットワークインターフェイス２２０と、メモリ２３０と、プロセッサ２４０と、を有する。メモリ２３０及びプロセッサ２４０は、制御部を構成する。
【００４７】
アンテナ２０１及びセルラ通信部２１０は、セルラ無線信号の送受信に用いられる。セルラ通信部２１０は、プロセッサ２４０が出力するベースバンド信号をセルラ無線信号に変換してアンテナ２０１から送信する。また、セルラ通信部２１０は、アンテナ２０１が受信するセルラ無線信号をベースバンド信号に変換してプロセッサ２４０に出力する。
【００４８】
ネットワークインターフェイス２２０は、Ｘ２インターフェイスを介して隣接ｅＮＢ２００と接続され、Ｓ１インターフェイスを介してＭＭＥ／Ｓ−ＧＷ５００と接続される。また、ネットワークインターフェイス２２０は、ＥＰＣ２０を介したＷＬＡＮ  ＡＰ３００との通信に使用される。
【００４９】
メモリ２３０は、プロセッサ２４０によって実行されるプログラムと、プロセッサ２４０による処理に使用される情報と、を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００５０】
図４は、ＷＬＡＮ  ＡＰ３００のブロック図である。図４に示すように、ＷＬＡＮ  ＡＰ３００は、アンテナ３０１と、ＷＬＡＮ通信部３１１と、ネットワークインターフェイス３２０と、メモリ３３０と、プロセッサ３４０と、を有する。
【００５１】
アンテナ３０１及びＷＬＡＮ通信部３１１は、ＷＬＡＮ無線信号の送受信に用いられる。ＷＬＡＮ通信部３１１は、プロセッサ３４０が出力するベースバンド信号をＷＬＡＮ無線信号に変換してアンテナ３０１から送信する。また、ＷＬＡＮ通信部３１１は、アンテナ３０１が受信するＷＬＡＮ無線信号をベースバンド信号に変換してプロセッサ３４０に出力する。
【００５２】
ネットワークインターフェイス３２０は、ルータなどを介してＥＰＣ２０と接続される。また、ネットワークインターフェイス３２０は、ＥＰＣ２０を介したｅＮＢ２００との通信に使用される。
【００５３】
メモリ３３０は、プロセッサ３４０によって実行されるプログラムと、プロセッサ３４０による処理に使用される情報と、を記憶する。プロセッサ３４０は、ベースバンド信号の変調・復調及び符号化・復号などを行うベースバンドプロセッサと、メモリ３３０に記憶されるプログラムを実行して各種の処理を行うＣＰＵと、を含む。
【００５４】
図５は、セルラ通信システムにおける無線インターフェイスのプロトコルスタック図である。図５に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００５５】
物理レイヤは、符号化・復号、変調・復調、アンテナマッピング・デマッピング、及びリソースマッピング・デマッピングを行う。ＵＥ１００の物理レイヤとｅＮＢ２００の物理レイヤとの間では、物理チャネルを介してデータが伝送される。
【００５６】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、
上下リンクのトランスポートフォーマット（トランスポートブロックサイズ、変調・符号化方式など）、及び割当リソースブロックを選択するスケジューラを含む。
【００５７】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００５８】
ＰＤＣＰレイヤは、ヘッダ圧縮・伸張、及び暗号化・復号化を行う。
【００５９】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ
）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００は接続状態（ＲＲＣ  ｃｏｎｎｅｃｔｅｄ  ｓｔａｔｅ）であり、そうでない場合、ＵＥ１００はアイドル状態（ＲＲＣ  ｉｄｌｅ  ｓｔａｔｅ）である。
【００６０】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００６１】
図６は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００６２】
図６に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。リソースブロックは、周波数方向に複数個のサブキャリアを含む。
【００６３】
ＵＥ１００に割り当てられる無線リソースのうち、周波数リソースはリソースブロックにより特定でき、時間リソースはサブフレーム（又はスロット）により特定できる。
【００６４】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。また、下りリンクにおいて、各サブフレームには、セル固有参照信号などの参照信号が分散して配置される。
【００６５】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。
【００６６】
（第１実施形態に係る動作）
次に、第１実施形態に係る動作について説明する。
【００６７】
（１）動作概要
第１実施形態では、ｅＮＢ２００のカバレッジエリア内にＷＬＡＮ  ＡＰ３００が設けられる動作環境を想定する。ＷＬＡＮ  ＡＰ３００は、オペレータにより管理されるＡＰ（Ｏｐｅｒａｔｏｒ  ｃｏｎｔｒｏｌｌｅｄ  ＡＰ）である。ｅＮＢ２００が多数のＵＥ１００との接続を確立する場合、ｅＮＢ２００のトラフィック負荷が高くなる。よって、ＵＥ１００とｅＮＢ２００との間で送受信されるトラフィック（ユーザデータ）をＷＬＡＮシステムに移行させることにより、ｅＮＢ２００のトラフィック負荷を削減することができる（オフロード）。
【００６８】
第１実施形態では、そのようなオフロードを行うために、ｅＮＢ２００がオフロード対象のＵＥ１００に対してＷＬＡＮ測定を設定し、ＵＥ１００がＷＬＡＮ測定結果をｅＮＢ２００に報告し、ｅＮＢ２００が当該報告に基づいてオフロード指示をＵＥ１００に送信する。
【００６９】
図７は、第１実施形態に係る基本動作を示すシーケンス図である。本シーケンスの初期状態において、ＵＥ１００は、ｅＮＢ２００とのＲＲＣ接続を確立した状態（接続状態）である。
【００７０】
図７に示すように、ステップＳ１において、ｅＮＢ２００は、オフロード対象のＵＥ１００に対して、ＷＬＡＮ測定を制御するためのＷＬＡＮ測定指示を送信する。ＷＬＡＮ測定指示は、ＵＥ１００が測定の対象とするＷＬＡＮ  ＡＰ３００の識別子（ＷＬＡＮ識別子）を含む。また、ＷＬＡＮ測定指示は、ＷＬＡＮ測定の結果を報告するためのＷＬＡＮ測定報告をｅＮＢ２００に送信するトリガを示すトリガ情報を含む。
【００７１】
ＷＬＡＮ測定指示を受信したＵＥ１００は、ＷＬＡＮ測定指示に従ってＷＬＡＮ測定を行なう。例えば、ＵＥ１００は、ＷＬＡＮ測定指示に含まれるＷＬＡＮ識別子を対象として、ＷＬＡＮ  ＡＰ３００からのビーコン信号の受信電力などを測定する。
【００７２】
ステップＳ２において、ＵＥ１００は、ＷＬＡＮ測定指示に含まれるトリガ情報に基づいて、ＷＬＡＮ測定報告の送信トリガとするイベントを検知する。ここで、ＵＥ１００がアイドル状態に遷移していれば、ＵＥ１００は、ＷＬＡＮ測定報告をｅＮＢ２００に送信するために、ｅＮＢ２００とのＲＲＣ接続を改めて確立する（ステップＳ３）。
【００７３】
ステップＳ４において、ＵＥ１００は、ＷＬＡＮ測定の結果を報告するためのＷＬＡＮ測定報告をｅＮＢ２００に送信する。ＷＬＡＮ測定報告は、例えばＷＬＡＮ識別子及びＷＬＡＮ測定結果（ビーコン信号の受信電力など）を含む。
【００７４】
ステップＳ５において、ＷＬＡＮ測定報告を受信したｅＮＢ２００は、ＷＬＡＮ測定報告及びＲＡＮの負荷などに基づいて、オフロードの実行を指示するＳｔｅｅｒｉｎｇ  ｃｏｍｍａｎｄ（オフロード指示）をＵＥ１００に送信する。なお、Ｓｔｅｅｒｉｎｇ  ｃｏｍｍａｎｄは、ｅＮＢ２００からＷＬＡＮへのトラフィック移行（オフロード）を指示するｃｏｍｍａｎｄに限らず、ＷＬＡＮからｅＮＢ２００へのトラフィック移行（オフロード中止）を指示するｃｏｍｍａｎｄであってもよい。
【００７５】
ステップＳ６において、オフロード指示を受信したＵＥ１００は、オフロードを実行する。すなわち、ＵＥ１００は、ｅＮＢ２００と送受信しているトラフィックを、ＷＬＡＮ  ＡＰ３００と送受信するよう切り替える。なお、ＵＥ１００は、オフロード指示を受信した際にＷＬＡＮ  ＡＰ３００との接続を確立していなければ、オフロードに先立ちＷＬＡＮ  ＡＰ３００との接続を確立する。
【００７６】
ステップＳ７において、ＵＥ１００は、オフロード指示に対応する応答をｅＮＢ２００に送信する。
【００７７】
このようなシーケンスにおいて、ｅＮＢ２００がオフロード対象のＵＥ１００を選定する場合、オフロード対象のＵＥ１００の選定が不適切になり得る。例えば、周辺にＷＬＡＮ  ＡＰ３００が存在しないＵＥ１００、移動中のＵＥ１００、又はバッテリ残量の少ないＵＥ１００などについては、オフロードを行うべきではない。
【００７８】
第１実施形態では、トラフィックをＷＬＡＮシステムに移行するオフロードの対象としてＵＥ１００が選定された場合において、ＵＥ１００は、ＵＥ１００の状況に関する判断パラメータに基づいて、オフロードを行うべきか否かを判断する。判断パラメータの詳細（判断パラメータ１乃至判断パラメータ４）については後述する。
【００７９】
ＵＥ１００は、判断パラメータに基づいて、オフロードを行うべきではないと判断した場合に、オフロードの拒否に関する拒否通知をｅＮＢ２００に送信する。拒否通知をｅＮＢ２００に送信するタイミング（動作パターン１乃至動作パターン３）については後述する。
【００８０】
ｅＮＢ２００は、トラフィックをＷＬＡＮシステムに移行するオフロードの対象としてＵＥ１００を選定した場合で、かつ、オフロードの拒否に関する拒否通知をＵＥ１００から受信した場合に、ＵＥ１００をオフロードの対象から除外する。従って、オフロード対象のＵＥ１００を適切に選定可能となる。
【００８１】
（２）判断パラメータ
上述した判断パラメータとしては、以下の判断パラメータ１乃至判断パラメータ４のうち少なくとも１つを使用できる。
【００８２】
判断パラメータ１は、ＵＥ１００の周辺にＷＬＡＮ  ＡＰ３００が存在するか否かを示す情報である。例えば、ＵＥ１００がＷＬＡＮ  ＡＰ３００からのビーコン信号を受信しているのであれば、ＵＥ１００の周辺にＷＬＡＮ  ＡＰ３００が存在するとみなすことができる。或いは、ＵＥ１００がＷＬＡＮ  ＡＰ３００の位置情報（ＡＰ位置情報）を保持している場合において、ＵＥ１００のＧＮＳＳ位置情報とＡＰ位置情報との差（すなわち、距離）が小さいのであれば、ＵＥ１００の周辺にＷＬＡＮ  ＡＰ３００が存在するとみなすことができる。ＵＥ１００は、判断パラメータ１に基づき、ＵＥ１００の周辺にＷＬＡＮ  ＡＰ３００が存在しない場合に、オフロードを行うべきではないと判断して、拒否通知を送信する。これにより、オフロードが不能な状態にあるＵＥ１００がオフロード対象として選定されることを回避できる。
【００８３】
判断パラメータ２は、ＵＥ１００が移動中であるか否かを示す情報である。例えば、ＵＥ１００のＧＮＳＳ位置情報の単位時間当たりの変化が所定量よりも大きければ、ＵＥ１００が移動中であるとみなすことができる。或いは、ＵＥ１００の単位時間当たりのハンドオーバ回数又はセル再選択回数が所定回数よりも大きければ、ＵＥ１００が移動中であるとみなすことができる。ＵＥ１００は、判断パラメータ２に基づき、ＵＥ１００が移動中である場合に、オフロードを行うべきではないと判断して、拒否通知を送信する。移動中のＵＥ１００はＡＰ３００のカバレッジエリアを短時間で通過してしまう。従って、移動中のＵＥ１００をオフロード対象から除外可能とすることにより、非効率なオフロードが行なわれることを回避できる。
【００８４】
判断パラメータ３は、ＵＥ１００のバッテリ残量を示す情報である。バッテリ残量を示す情報とは、バッテリ１４０の電圧値であってもよく、バッテリ１４０の電圧レベルを示すインデックスであってもよい。ＵＥ１００は、判断パラメータ３に基づき、バッテリ残量が閾値を下回る場合に、オフロードを行うべきではないと判断して、拒否通知を送信する。オフロードを行なう場合、ＵＥ１００の消費電力が増大し、ＵＥ１００のバッテリが尽きてしまう、又は発呼（緊急呼を含む）が不能になるなどの問題がある。従って、バッテリ残量の少ないＵＥ１００をオフロード対象から除外可能とすることにより、そのような問題を回避できる。
【００８５】
判断パラメータ４は、ＵＥ１００の消費電力レベルを示す情報である。例えば、ＵＥ１００が省電力モードに設定されていれば、ＵＥ１００の消費電力レベルは小さい。ＵＥ１００が高パフォーマンスモードに設定されていれば、ＵＥ１００の消費電力レベルは大きい。ＵＥ１００は、判断パラメータ４に基づき、消費電力レベルが閾値を上回る場合に、オフロードを行うべきではないと判断して、拒否通知を送信する。オフロードを行なう場合、ＵＥ１００の消費電力が増大するため、消費電力レベルが高いＵＥ１００については、オフロードによって消費電力が許容値を超えるなどの問題がある。従って、消費電力レベルの高いＵＥ１００をオフロード対象から除外可能とすることにより、そのような問題を回避できる。
【００８６】
（３）動作パターン１
図８は、第１実施形態に係る動作パターン１のシーケンス図である。ここでは、上述した基本動作との相違点を主として説明する。
【００８７】
図８に示すように、ステップＳ１において、ＵＥ１００は、オフロードの対象としてＵＥ１００が選定されたことを示すＷＬＡＮ測定指示をｅＮＢ２００から受信する。
【００８８】
ステップＳ１０において、ＵＥ１００は、判断パラメータに基づいて、オフロードを行うべきか否かを判断する。
【００８９】
オフロードを行うべきではないと判断した場合（ステップＳ１０：Ｎｏ）、ステップＳ１１において、ＵＥ１００は、ＷＬＡＮ測定指示に対する応答として、拒否通知をｅＮＢ２００に送信する。ＵＥ１００は、拒否の理由を示す拒否理由情報を拒否通知に含めてもよい。拒否の理由とは、例えば、「周辺にＷＬＡＮ  ＡＰ３００が存在しない」、「移動中である」、「バッテリ残量が少ない」、「消費電力レベルが高い」などである。拒否通知を受信したｅＮＢ２００は、ＵＥ１００をオフロードの対象から除外する。
【００９０】
これに対し、オフロードを行うべきであると判断した場合（ステップＳ１０：Ｙｅｓ）、ステップＳ２において、ＵＥ１００は、ＷＬＡＮ測定指示に含まれるトリガ情報に基づいて、ＷＬＡＮ測定報告の送信トリガとするイベントを検知する。以降の動作については、上述した基本動作と同様である。
【００９１】
（４）動作パターン２
図９は、第１実施形態に係る動作パターン２のシーケンス図である。ここでは、上述した基本動作との相違点を主として説明する。
【００９２】
図９に示すように、ステップＳ１乃至Ｓ３については、上述した基本動作と同様である。
【００９３】
ステップＳ２０において、ＵＥ１００は、判断パラメータに基づいて、オフロードを行うべきか否かを判断する。
【００９４】
オフロードを行うべきではないと判断した場合（ステップＳ２０：Ｎｏ）、ステップＳ４’において、ＵＥ１００は、ＷＬＡＮ測定の結果を報告するためのＷＬＡＮ測定報告と共に、拒否通知をｅＮＢ２００に送信する。ＵＥ１００は、拒否通知をＷＬＡＮ測定報告に含めて送信してもよく、個別のメッセージによりＷＬＡＮ測定報告及び拒否通知を送信してもよい。ＵＥ１００は、拒否理由情報を拒否通知に含めてもよい。拒否通知を受信したｅＮＢ２００は、ＵＥ１００をオフロードの対象から除外する。
【００９５】
これに対し、オフロードを行うべきであると判断した場合、ＵＥ１００は、拒否通知を送信することなく、ＷＬＡＮ測定報告をｅＮＢ２００に送信する。以降の動作については、上述した基本動作と同様である。
【００９６】
（５）動作パターン３
図１０は、第１実施形態に係る動作パターン３のシーケンス図である。ここでは、上述した基本動作との相違点を主として説明する。
【００９７】
図１０に示すように、ステップＳ１乃至Ｓ５については、上述した基本動作と同様である。具体的には、ステップＳ５において、ＵＥ１００は、オフロードの実行を指示するオフロード指示をｅＮＢ２００から受信する。
【００９８】
ステップＳ３０において、ＵＥ１００は、判断パラメータに基づいて、オフロードを行うべきか否かを判断する。
【００９９】
オフロードを行うべきではないと判断した場合（ステップＳ３０：Ｎｏ）、ステップＳ３１において、ＵＥ１００は、オフロード指示に対する応答として、拒否通知をｅＮＢ２００に送信する。なお、ＵＥ１００は、拒否理由情報を拒否通知に含めてもよい。拒否通知を受信したｅＮＢ２００は、ＵＥ１００をオフロードの対象から除外する。
【０１００】
これに対し、オフロードを行うべきであると判断した場合（ステップＳ３０：Ｙｅｓ）、ステップＳ６において、ＵＥ１００は、オフロードを実行する。以降の動作については、上述した基本動作と同様である。
【０１０１】
（第１実施形態のまとめ）
上述したように、オフロードの対象としてＵＥ１００が選定された場合において、ＵＥ１００は、ＵＥ１００の状況に関する判断パラメータに基づいて、オフロードを行うべきか否かを判断する。ＵＥ１００は、判断パラメータに基づいて、オフロードを行うべきではないと判断した場合に、オフロードの拒否に関する拒否通知をｅＮＢ２００に送信する。ｅＮＢ２００は、オフロードの対象としてＵＥ１００を選定した場合で、かつ、オフロードの拒否に関する拒否通知をＵＥ１００から受信した場合に、ＵＥ１００をオフロードの対象から除外する。従って、オフロード対象のＵＥ１００を適切に選定可能となる。
【０１０２】
第１実施形態に係る動作パターン１では、ＷＬＡＮ測定報告をｅＮＢ２００に送信することなく、拒否通知をｅＮＢ２００に送信しているため、ＵＥ１００の処理負荷を削減できるとともに、ＷＬＡＮ測定報告に伴う無線リソースの消費量を削減できる。一方、第１実施形態に係る動作パターン３では、オフロードを行なうべきタイミングの直前でＵＥ１００が判断を行なっているため、ＵＥ１００の最新の状況に基づいて適切に判断を行うことができる。第１実施形態に係る動作パターン２は、動作パターン１及び動作パターン２の中間の性質を持つ。
【０１０３】
［第２実施形態］
第２実施形態について、第１実施形態との相違点を主として説明する。第２実施形態は、システム構成及び基本動作については、第１実施形態と同様である。
【０１０４】
（第２実施形態に係る動作）
第２実施形態に係る動作は、上述した基本動作に先立って行なわれる。具体的には、ＵＥ１００は、オフロードの対象としてＵＥ１００が選定されるよりも前において、上述した判断パラメータ（判断パラメータ１乃至４のうち少なくとも１つ）を含んだ端末情報通知をｅＮＢ２００に送信する。端末情報通知は、ＲＲＣメッセージの一つである「ＵＥ  Ｃａｐａｂｉｌｉｔｙ  Ｉｎｆｏｒｍａｔｉｏｎ」であってもよい。
【０１０５】
ｅＮＢ２００は、オフロードの対象としてＵＥ１００を選定するよりも前において、判断パラメータを含んだ端末情報通知をＵＥ１００から受信する。そして、ｅＮＢ２００は、判断パラメータに基づいて、オフロードの対象とするＵＥ１００を選定する。例えば、ｅＮＢ２００は、判断パラメータ１に基づき、周辺にＷＬＡＮ  ＡＰ３００が存在しないＵＥ１００を、オフロードの対象から除外する。ｅＮＢ２００は、判断パラメータ２に基づき、移動中であるＵＥ１００を、オフロードの対象から除外する。ｅＮＢ２００は、判断パラメータ３に基づき、バッテリ残量が閾値を下回るＵＥ１００を、オフロードの対象から除外する。ｅＮＢ２００は、判断パラメータ３に基づき、消費電力レベルが閾値を上回るＵＥ１００を、オフロードの対象から除外する。
【０１０６】
図１１は、第２実施形態に係るシーケンス図である。
【０１０７】
図１１に示すように、ステップＳ１０１において、ｅＮＢ２００は、端末情報通知（ＵＥ  Ｃａｐａｂｉｌｉｔｙ  Ｉｎｆｏｒｍａｔｉｏｎ）の送信を要求するＵＥ  Ｃａｐａｂｉｌｉｔｙ  ＥｎｑｕｉｒｙをＵＥ１００に送信する。
【０１０８】
ステップＳ１０２において、ＵＥ  Ｃａｐａｂｉｌｉｔｙ  Ｅｎｑｕｉｒｙを受信したＵＥ１００は、判断パラメータを含んだ端末情報通知（ＵＥ  Ｃａｐａｂｉｌｉｔｙ  Ｉｎｆｏｒｍａｔｉｏｎ）をｅＮＢ２００に送信する。
【０１０９】
（第２実施形態のまとめ）
上述したように、ＵＥ１００は、オフロードの対象としてＵＥ１００が選定されるよりも前において、判断パラメータを含んだ端末情報通知をｅＮＢ２００に送信する。ｅＮＢ２００は、オフロードの対象としてＵＥ１００を選定するよりも前において、判断パラメータを含んだ端末情報通知をＵＥ１００から受信する。ｅＮＢ２００は、判断パラメータに基づいて、オフロードの対象とするＵＥ１００を選定する。これにより、オフロード対象のＵＥ１００を適切に選定可能となる。
【０１１０】
［その他の実施形態］
上述した第２実施形態では、ｅＮＢ２００は、ＵＥ１００から受信した判断パラメータに基づいて、オフロードの対象とするＵＥ１００を選定していた。しかしながら、ｅＮＢ２００は、ＵＥ１００から受信した判断パラメータに基づかずに、オフロードの対象とするＵＥ１００を選定してもよい。例えば、ｅＮＢ２００は、ＵＥ１００が自セルへハンドオーバしてからの経過時間を測定し、経過時間が一定時間よりも短いＵＥ１００については、オフロードの対象から除外する。これにより、自セルに長期的に存在するＵＥ１００をオフロードの対象とするとともに、自セルを一時的に通過するに過ぎないＵＥ１００をオフロードの対象から除外できる。
【０１１１】
上述した第２実施形態は、第１実施形態と併用されることを想定していた。しかしながら、第２実施形態は第１実施形態とは個別に実施可能であり、第２実施形態単独で実施してもよい。
【０１１２】
上述した各実施形態では、セルラ通信システムの一例としてＬＴＥシステムを説明したが、ＬＴＥシステムに限定されるものではなく、ＬＴＥシステム以外のシステムに本発明を適用してもよい。
【０１１３】
上述した各動作シーケンスにおいて、ｅＮＢ２００（基地局）が行っている動作は、基地局に代えて、他のネットワーク装置（例えばＲＮＣ）が行ってもよい。
【符号の説明】
【０１１４】
１０…Ｅ−ＵＴＲＡＮ、２０…ＥＰＣ、１００…ＵＥ、１０１，１０２…アンテナ、１１１…セルラ通信部、１１２…ＷＬＡＮ通信部、１２０…ユーザインターフェイス、１３０…ＧＮＳＳ受信機、１４０…バッテリ、１５０…メモリ、１６０…プロセッサ、２００
…ｅＮＢ、２０１…アンテナ、２１０…セルラ通信部、２２０…ネットワークインターフェイス、２３０…メモリ、２４０…プロセッサ、３００…ＷＬＡＮ  ＡＰ、３０１…アンテナ、３１１…ＷＬＡＮ通信部、３２０…ネットワークインターフェイス、３３０…メモリ、３４０…プロセッサ、５００…ＭＭＥ／Ｓ−ＧＷ
【図１】
2018007267.tif 000003
【図２】
2018007267.tif 000004
【図３】
2018007267.tif 000005
【図４】
2018007267.tif 000006
【図５】
2018007267.tif 000007
【図６】
2018007267.tif 000008
【図７】
2018007267.tif 000009
【図８】
2018007267.tif 000010
【図９】
2018007267.tif 000011
【図１０】
2018007267.tif 000012
【図１１】
2018007267.tif 000013